【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
所定の記憶領域を有する記憶手段と、クレジットカードのカード会員に対して所定の情報を通知する通知手段と、データベースの検索を実行する検索手段と、クレジットカードの利用に対して付与されるポイントを算出するポイント算出手段とを備え、カード会員によってクレジットカードが利用されるときに発生するオーソリ処理を実行し、その実行履歴を示す実行履歴情報を蓄積するデータベースを構築するように構成されているカードシステムにて、前記カード会員がカードの利用に関して使用可能なポイントを管理するポイント管理方法であって、
前記実行履歴情報は、カードの利用時間と、カード会員を識別するカード会員識別子とが対応付けられてなる情報を含んでおり、
前記記憶手段が、非ピーク時間帯にカードの利用が行われる場合に、当該カードの利用に対して付与されるポイントの算出ルールを記憶するステップと、
前記検索手段が、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定するステップと、 
前記通知手段が、将来に前記非ピーク時間帯にカードの利用を行う場合には前記記憶手段に記憶されている算出ルールが適用される旨を示す情報を、前記特定されたカード会員に対して通知するステップと、
前記検索手段が更に、前記算出ルールが適用される旨を示す情報の通知後に発生したオーソリ処理の実行履歴を示す実行履歴情報における複数のカードの利用時間の中から非ピーク時間帯に属するカードの利用時間を検索するステップと、
前記ポイント算出手段が、前記検索されたカードの利用時間に係るカードの利用に対して付与されるポイントを、前記算出ルールに基づいて算出するステップと
を有することを特徴とするポイント管理方法。
【請求項２】
前記データベースには、クレジットカードの加盟店を識別する加盟店識別子と当該加盟店の業種を識別する加盟店業種識別子とが対応付けられてなる加盟店情報が蓄積されており、
前記算出ルールを記憶するステップでは、前記記憶手段が、クレジットカードの加盟店の業種別に定められた前記算出ルールを記憶し、
前記実行履歴情報は、前記カードの利用時間と、前記カード会員識別子と、カードが利用された加盟店を識別する加盟店識別子とが対応付けられてなる情報を含み、
前記カード会員を特定するステップでは、前記検索手段が、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定し、
前記カード会員に対して通知するステップでは、前記通知手段が、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知する、請求項１に記載のポイント管理方法。
【請求項３】
前記算出ルールを記憶するステップでは、前記記憶手段が、クレジットカードの加盟店別に定められた前記算出ルールを記憶し、
前記実行履歴情報は、前記カードの利用時間と、前記カード会員識別子と、カードが利用された加盟店を識別する加盟店識別子とが対応付けられてなる情報を含み、
前記カード会員を特定するステップでは、前記検索手段が、前記検索されたカードの利用時間と対応付けられている加盟店識別子によって識別される加盟店を参照することによって、加盟店別にカード会員を特定し、
前記カード会員に対して通知するステップでは、前記通知手段が、将来に前記非ピーク時間帯にカードの利用を行う場合には前記記憶手段に記憶されており、且つ、前記特定された加盟店に係る算出ルールが適用される旨を示す情報を、前記特定されたカード会員に係る端末に対して通知する、請求項１に記載のポイント管理方法。
【請求項４】
クレジットカードのカード会員によってクレジットカードが利用されるときに発生するオーソリ処理を実行するカード決済システムと、当該オーソリ処理の実行履歴を示す実行履歴情報を蓄積するデータベースを備え、前記カード会員がカードの利用に関して使用可能なポイントを管理するポイント管理装置とを備えるカードシステムであって、
前記実行履歴情報は、カードの利用時間と、カード会員を識別するカード会員識別子とが対応付けられてなる情報を含んでおり、
前記ポイント管理装置は、
非ピーク時間帯にカードの利用が行われる場合に、当該カードの利用に対して付与されるポイントの算出ルールを記憶する記憶手段と、
前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、
将来に前記非ピーク時間帯にカードの利用を行う場合には前記記憶手段に記憶されている算出ルールが適用される旨を示す情報を、前記特定されたカード会員に対して通知する通知手段と、
前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、
前記検索手段によって検索されたカードの利用時間に係るカードの利用に対して付与されるポイントを、前記算出ルールに基づいて算出するポイント算出手段と
を備えることを特徴とするカードシステム。
【請求項５】
クレジットカードのカード会員によってクレジットカードが利用されるときに発生するオーソリ処理を実行するカード決済システムと関連して設けられ、当該オーソリ処理の実行履歴を示す実行履歴情報を蓄積するデータベースを備え、前記カード会員がカードの利用に関して使用可能なポイントを管理するポイント管理装置であって、
前記実行履歴情報は、カードの利用時間と、カード会員を識別するカード会員識別子とが対応付けられてなる情報を含んでおり、
非ピーク時間帯にカードの利用が行われる場合に、当該カードの利用に対して付与されるポイントの算出ルールを記憶する記憶手段と、
前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、
将来に前記非ピーク時間帯にカードの利用を行う場合には前記記憶手段に記憶されている算出ルールが適用される旨を示す情報を、前記特定されたカード会員に対して通知する通知手段と、
前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、
前記検索手段によって検索されたカードの利用時間に係るカードの利用に対して付与されるポイントを、前記算出ルールに基づいて算出するポイント算出手段と
を備えることを特徴とするポイント管理装置。
【請求項６】
前記データベースには、クレジットカードの加盟店を識別する加盟店識別子と当該加盟店の業種を識別する加盟店業種識別子とが対応付けられてなる加盟店情報が蓄積されており、
前記記憶手段には、クレジットカードの加盟店の業種別に定められた前記算出ルールが記憶され、
前記実行履歴情報は、前記カードの利用時間と、前記カード会員識別子と、カードが利用された加盟店を識別する加盟店識別子とが対応付けられてなる情報を含み、
前記特定手段は、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定するように構成され、
前記通知手段は、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するように構成されている、請求項５に記載のポイント管理装置。
【請求項７】
前記記憶手段には、クレジットカードの加盟店別に定められた前記算出ルールが記憶され、
前記実行履歴情報は、前記カードの利用時間と、前記カード会員識別子と、カードが利用された加盟店を識別する加盟店識別子とが対応付けられてなる情報を含み、
前記特定手段は、前記検索されたカードの利用時間と対応付けられている加盟店識別子によって識別される加盟店を参照することによって、加盟店別にカード会員を特定するように構成され、
前記通知手段は、将来に前記非ピーク時間帯にカードの利用を行う場合には前記記憶手段に記憶されており、且つ、前記特定された加盟店に係る算出ルールが適用される旨を示す情報を、前記特定されたカード会員に対して通知するように構成される、請求項５に記載のポイント管理装置。
【手続補正２】
【補正対象書類名】明細書
【補正対象項目名】００１５
【補正方法】変更
【補正の内容】
【００１５】
前記発明に係るポイント管理方法において、前記データベースには、クレジットカードの加盟店を識別する加盟店識別子と当該加盟店の業種を識別する加盟店業種識別子とが対応付けられてなる加盟店情報が蓄積されており、前記算出ルールを記憶するステップでは、前記記憶手段が、クレジットカードの加盟店の業種別に定められた前記算出ルールを記憶し、前記実行履歴情報は、前記カードの利用時間と、前記カード会員識別子と、カードが利用された加盟店を識別する加盟店識別子とが対応付けられてなる情報を含み、前記カード会員を特定するステップでは、前記検索手段が、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定し、前記カード会員に対して通知するステップでは、前記通知手段が、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するようにしてもよい。
【手続補正３】
【補正対象書類名】明細書
【補正対象項目名】００１６
【補正方法】変更
【補正の内容】
【００１６】
また、前記発明に係るポイント管理方法において、前記算出ルールを記憶するステップでは、前記記憶手段が、クレジットカードの加盟店別に定められた前記算出ルールを記憶し、前記実行履歴情報は、前記カードの利用時間と、前記カード会員識別子と、カードが利用された加盟店を識別する加盟店識別子とが対応付けられてなる情報を含み、前記カード会員を特定するステップでは、前記検索手段が、前記検索されたカードの利用時間と対応付けられている加盟店識別子によって識別される加盟店を参照することによって、加盟店別にカード会員を特定し、前記カード会員に対して通知するステップでは、前記通知手段が、将来に前記非ピーク時間帯にカードの利用を行う場合には前記記憶手段に記憶されており、且つ、前記特定された加盟店に係る算出ルールが適用される旨を示す情報を、前記特定されたカード会員に係る端末に対して通知するようにしてもよい。
【手続補正４】
【補正対象書類名】明細書
【補正対象項目名】００１７
【補正方法】変更
【補正の内容】
【００１７】
本名発明のカードシステムは、クレジットカードのカード会員によってクレジットカードが利用されるときに発生するオーソリ処理を実行するカード決済システムと、当該オーソリ処理の実行履歴を示す実行履歴情報を蓄積するデータベースを備え、前記カード会員がカードの利用に関して使用可能なポイントを管理するポイント管理装置とを備えるカードシステムであって、前記実行履歴情報は、カードの利用時間と、カード会員を識別するカード会員識別子とが対応付けられてなる情報を含んでおり、前記ポイント管理装置は、  非ピーク時間帯にカードの利用が行われる場合に、当該カードの利用に対して付与されるポイントの算出ルールを記憶する記憶手段と、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、将来に前記非ピーク時間帯にカードの利用を行う場合には前記記憶手段に記憶されている算出ルールが適用される旨を示す情報を、前記特定されたカード会員に対して通知する通知手段と、前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、前記検索手段によって検索されたカードの利用時間に係るカードの利用に対して付与されるポイントを、前記算出ルールに基づいて算出するポイント算出手段とを備える。
【手続補正５】
【補正対象書類名】明細書
【補正対象項目名】００１８
【補正方法】変更
【補正の内容】
【００１８】
本発明に係るポイント管理装置は、クレジットカードのカード会員によってクレジットカードが利用されるときに発生するオーソリ処理を実行するカード決済システムと関連して設けられ、当該オーソリ処理の実行履歴を示す実行履歴情報を蓄積するデータベースを備え、前記カード会員がカードの利用に関して使用可能なポイントを管理するポイント管理装置であって、前記実行履歴情報は、カードの利用時間と、カード会員を識別するカード会員識別子とが対応付けられてなる情報を含んでおり、非ピーク時間帯にカードの利用が行われる場合に、当該カードの利用に対して付与されるポイントの算出ルールを記憶する記憶手段と、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、将来に前記非ピーク時間帯にカードの利用を行う場合には前記記憶手段に記憶されている算出ルールが適用される旨を示す情報を、前記特定されたカード会員に対して通知する通知手段と、前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、前記検索手段によって検索されたカードの利用時間に係るカードの利用に対して付与されるポイントを、前記算出ルールに基づいて算出するポイント算出手段とを備える。
【手続補正６】
【補正対象書類名】明細書
【補正対象項目名】００１９
【補正方法】変更
【補正の内容】
【００１９】
前記発明に係るポイント管理装置において、前記データベースには、クレジットカードの加盟店を識別する加盟店識別子と当該加盟店の業種を識別する加盟店業種識別子とが対応付けられてなる加盟店情報が蓄積されており、前記記憶手段には、クレジットカードの加盟店の業種別に定められた前記算出ルールが記憶され、前記実行履歴情報は、前記カードの利用時間と、前記カード会員識別子と、カードが利用された加盟店を識別する加盟店識別子とが対応付けられてなる情報を含み、前記特定手段は、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定するように構成され、前記通知手段は、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するように構成されていてもよい。
【手続補正７】
【補正対象書類名】明細書
【補正対象項目名】００２０
【補正方法】変更
【補正の内容】
【００２０】
また、前記発明に係るポイント管理装置において、前記記憶手段には、クレジットカードの加盟店別に定められた前記算出ルールが記憶され、前記実行履歴情報は、前記カードの利用時間と、前記カード会員識別子と、カードが利用された加盟店を識別する加盟店識別子とが対応付けられてなる情報を含み、前記特定手段は、前記検索されたカードの利用時間と対応付けられている加盟店識別子によって識別される加盟店を参照することによって、加盟店別にカード会員を特定するように構成され、前記通知手段は、将来に前記非ピーク時間帯にカードの利用を行う場合には前記記憶手段に記憶されており、且つ、前記特定された加盟店に係る算出ルールが適用される旨を示す情報を、前記特定されたカード会員に対して通知するように構成されていてもよい。